(57)【要約】  セル間の干渉を抑制すると共に、ネットワーク全体のスループットの低下を抑制するサーバ装置及び干渉制御方法を提供する。ＯＭＣ（２００）のＡＢＳコンフィギュレーション決定部（２０３）は、ＨｅＮＢ数が少ないほど下り送信を止める頻度を低くし、ＨｅＮＢ数が多いほど下り送信を止める頻度を高くするよう定義されたＡＢＳコンフィギュレーションテーブルを備える。ＡＢＳコンフィギュレーション決定部（２０３）は、ＭｅＮＢエリア内のＨｅＮＢ数を取得し、取得したＨｅＮＢ数に応じたＡＢＳコンフィギュレーションをＡＢＳコンフィギュレーションテーブルから求め、ＭｅＮＢに適用することを決定する。
2012108153.tif 000002
【特許請求の範囲】
【請求項１】
基地局装置のセル内に配置され、かつ、前記基地局装置のセルよりも小さいセルを形成する小型基地局装置の数を管理するカウント手段と、
前記基地局装置のセル内に配置された前記小型基地局装置の数に応じて、前記基地局装置の第１の送信及び無送信パターンと、前記小型基地局装置の第２の送信及び無送信パターンを決定する送信及び無送信パターン決定手段と、
決定された前記第１の送信及び無送信パターンを前記基地局装置に送信し、決定された前記第２の送信及び無送信パターンを前記小型基地局装置に送信する送信手段と、
を具備するサーバ装置。
【請求項２】
前記送信及び無送信パターン決定手段は、前記小型基地局装置の数が少ないほど無送信の頻度を低くし、前記小型基地局装置の数が多いほど無送信の頻度を高くするよう定義された複数の送信及び無送信パターンを含むテーブルを備え、前記基地局装置のセル内に配置された前記小型基地局装置の数に応じた送信及び無送信パターンを前記テーブルから求める請求項１に記載のサーバ装置。
【請求項３】
前記カウント手段は、前記小型基地局装置における信号強度情報が所定の閾値以上である場合にカウントする請求項１に記載のサーバ装置。
【請求項４】
前記送信及び無送信パターン決定手段は、前記第１の送信及び無送信パターンと、前記第２の送信及び無送信パターンとを異ならせる請求項１に記載のサーバ装置。
【請求項５】
周辺基地局装置の識別情報を取得し、前記識別情報を取得した前記周辺基地局装置からの信号強度を測定する測定手段と、
前記識別情報及び前記信号強度をサーバ装置に送信する送信手段と、
を具備する小型基地局装置。
【請求項６】
基地局装置のセル内に配置され、かつ、前記基地局装置のセルよりも小さいセルを形成する小型基地局装置の数を管理するカウント工程と、
前記基地局装置のセル内に配置された前記小型基地局装置の数に応じて、前記基地局装置の第１の送信及び無送信パターンと、前記小型基地局装置の第２の送信及び無送信パターンを決定する送信及び無送信パターン決定工程と、
決定された前記第１の送信及び無送信パターンを前記基地局装置に送信し、決定された前記第２の送信及び無送信パターンを前記小型基地局装置に送信する送信工程と、
を具備する干渉制御方法。
【発明の詳細な説明】
【技術分野】
【０００１】
本発明は、基地局装置の下り送信を制御し、基地局装置間の干渉を制御するサーバ装置、小型基地局装置及び干渉制御方法に関する。
【背景技術】
【０００２】
近年、携帯電話の不感地帯の補完又はデータトラフィック分散を目的として、Ｐｉｃｏ ｅＮＢ又はＨｏｍｅ ｅＮＢ（以下、これらを総称して「ＨｅＮＢ」という）と呼ばれる小型基地局装置の開発が行われている。ＨｅＮＢは、各家庭内又はオフィス内のような限定された狭いエリアのみをカバーする目的で敷設されるため、従来から敷設されている大型基地局装置（Ｍａｃｒｏ ｅＮＢ、以下「ＭｅＮＢ」という）と比較してトラフィック集中による混雑が起こり難く、高いスループットが期待できる。しかしながら、特に、家庭内に設置されたＨｅＮＢは利用者が簡単に設置場所を変更できる等、通信事業者が運用状況を管理することが難しいため、ＨｅＮＢはＭｅＮＢとの間で干渉を起こし得ることが知られている。【０００３】
図１は、ＭｅＮＢのセル内にＨｅＮＢが１台配置され、さらにＭｅＮＢと通信する移動局（Ｍａｃｒｏ Ｕｓｅｒ Ｅｑｕｉｐｍｅｎｔ、以下「ＭＵＥ」という）及びＨｅＮＢと通信する移動局（Ｈｏｍｅ Ｕｓｅｒ Ｅｑｕｉｐｍｅｎｔ、以下「ＨＵＥ」という）がＭｅＮＢ及びＨｅＮＢのセルにそれぞれ在圏した場合の例である。ここで、ＭｅＮＢとＨｅＮＢの距離が近いと仮定した場合、ＨＵＥは希望波であるＨｅＮＢからの下り信号のみならず、干渉波であるＭｅＮＢからの下り信号を同時に受信することになる。この場合、ＨＵＥの受信品質が悪化するため、スループットは低下する。同様に、ＭＵＥがＨｅＮＢのセルに近づいた場合、ＭＵＥはＨｅＮＢからの干渉を受け、スループットが低下する。【０００４】
この課題を解決する方法として、非特許文献１等に示される、ＡＢＳ（Almost Blank Subframe）と呼ばれる方法が検討されている。これは、ＭｅＮＢ及びＨｅＮＢのいずれか一方、または双方が定期的に下り送信を止めるもので、これにより与干渉基地局（aggressor）が送信を止めたサブフレームにおいては、被干渉基地局（victim）は干渉を受けずに済むため、被干渉基地局に在圏するＵＥのスループットは改善する。例えば、ＭｅＮＢが４サブフレーム毎に下り送信を止める様子を図２に示す。【０００５】
ここで、図３Ａに示すように、ＨｅＮＢが普及している状況を考える。この状況の下、ＨｅＮＢエリアを含むＭｅＮＢエリアでＵＥが一様分布であると仮定すると、ＵＥの大多数はＨｅＮＢに接続することになる。この場合、ＭｅＮＢが積極的にＡＢＳを増やし、ＨＵＥへの与干渉を低減することにより、無線ネットワーク全体のスループットを改善することができる。
【先行技術文献】
【非特許文献】
【０００６】
【非特許文献１】R1-105779 " Way Forward on time-domain extension of Rel 8/9 backhaul-based ICIC" (RAN1)
【発明の概要】
【発明が解決しようとする課題】
【０００７】
ここで、図３Ｂに示すように、ＨｅＮＢが普及していない状況を考える。この状況の下、ＨｅＮＢエリアを含むＭｅＮＢエリアでＵＥが一様分布であると仮定すると、ＵＥの大多数はＭｅＮＢに接続することになる。このとき、ＭｅＮＢがＡＢＳにより下り送信を止めると、ＡＢＳの無送信によりスループット低下の影響を受けるＵＥが多いため、無線ネットワーク全体のマクロ的観点で見た場合、スループットが低下するという問題がある。【０００８】
本発明の目的は、セル間の干渉を抑制すると共に、ネットワーク全体のスループットの低下を抑制するサーバ装置、小型基地局装置及び干渉制御方法を提供することである。
【課題を解決するための手段】
【０００９】
本発明のサーバ装置は、基地局装置のセル内に配置され、かつ、前記基地局装置のセルよりも小さいセルを形成する小型基地局装置の数を管理するカウント手段と、前記基地局装置のセル内に配置された前記小型基地局装置の数に応じて、前記基地局装置の第１の送信及び無送信パターンと、前記小型基地局装置の第２の送信及び無送信パターンを決定する送信及び無送信パターン決定手段と、決定された前記第１の送信及び無送信パターンを前記基地局装置に送信し、決定された前記第２の送信及び無送信パターンを前記小型基地局装置に送信する送信手段と、を具備する構成を採る。【００１０】
本発明の小型基地局装置は、周辺基地局装置の識別情報を取得し、前記識別情報を取得した前記周辺基地局装置からの信号強度を測定する測定手段と、前記識別情報及び前記信号強度をサーバ装置に送信する送信手段と、を具備する構成を採る。【００１１】
本発明の干渉制御方法は、基地局装置のセル内に配置され、かつ、前記基地局装置のセルよりも小さいセルを形成する小型基地局装置の数を管理するカウント工程と、前記基地局装置のセル内に配置された前記小型基地局装置の数に応じて、前記基地局装置の第１の送信及び無送信パターンと、前記小型基地局装置の第２の送信及び無送信パターンを決定する送信及び無送信パターン決定工程と、決定された前記第１の送信及び無送信パターンを前記基地局装置に送信し、決定された前記第２の送信及び無送信パターンを前記小型基地局装置に送信する送信工程と、を具備するようにした。
【発明の効果】
【００１２】
本発明によれば、セル間の干渉を抑制すると共に、ネットワーク全体のスループットの低下を抑制することができる。
【図面の簡単な説明】
【００１３】
【図１】ＭｅＮＢ内のＨＵＥに干渉を与える様子を示す模式図
【図２】ＭｅＮＢ及びＨｅＮＢの送信パターンを示す模式図
【図３Ａ】ＭｅＮＢエリア内にＨｅＮＢが普及している場合を示す模式図
【図３Ｂ】ＭｅＮＢエリア内にＨｅＮＢが普及していない場合を示す模式図
【図４】本発明の実施の形態１に係るシステム構成を示す模式図
【図５】本発明の実施の形態１におけるＯＭＣのＡＢＳ管理テーブルを示す図
【図６】ＡＢＳコンフィギュレーションテーブルを示す図
【図７】本発明の実施の形態１に係るＨｅＮＢの構成を示すブロック図
【図８】本発明の実施の形態１に係るＯＭＣの構成を示すブロック図
【図９】本発明の実施の形態１に係るＭｅＮＢの構成を示すブロック図
【図１０】図７に示したＨｅＮＢのＲＳＲＱ測定部におけるＲＳＲＱ測定手順を示すフロー図
【図１１】図８に示したＯＭＣの処理手順を示すフロー図
【図１２】更新されたＡＢＳ管理テーブルを示す図
【図１３】図９に示したＭｅＮＢの処理手順を示すフロー図
【図１４】本発明の実施の形態２に係るＨｅＮＢの構成を示すブロック図
【図１５】本発明の実施の形態２に係るＯＭＣの構成を示すブロック図
【図１６】本発明の実施の形態３に係るＯＭＣの処理手順を示すフロー図
【発明を実施するための形態】
【００１４】
以下、本発明の実施の形態について、図面を参照して詳細に説明する。ただし、実施の形態において、同一の機能を有する構成には同一の符号を付し、重複する説明は省略する。
【００１５】
（実施の形態１）
図４は、本発明の実施の形態１に係るシステム構成を示す。ここでは、ＭｅＮＢ１（セルＩＤ＝２１６９）のセル内にＨｅＮＢ１（セルＩＤ＝９７１１）及びＨｅＮＢ２（セルＩＤ＝１１０９４）の計２台のＨｅＮＢが設置されており、ＨｅＮＢ１は稼働中、ＨｅＮＢ２は休止中（電源ＯＦＦ状態）であるものとする。ここで、セルＩＤは基地局固有に割り当てられた番号である。なお、実施の形態の説明において、ＭｅＮＢ及びＨｅＮＢを特に区別しない場合には、単に基地局と総称する。
【００１６】
また、ＭｅＮＢ１のセル内にＭＵＥ１１〜１３が、ＨｅＮＢ１のセル内にＨＵＥ１１が、ＨｅＮＢ２のセル内にＨＵＥ２１が、それぞれ存在するものとする。
【００１７】
また、ＯＭＣ（Operation and Maintenance Center）は、ＭｅＮＢ１、ＨｅＮＢ１及びＨｅＮＢ２の他、図示しないＭｅＮＢ２、ＭｅＮＢ３等とそれぞれ接続しており、これらのＭｅＮＢを管理し、各ＭｅＮＢのＡＢＳコンフィギュレーションを決定して指示する。なお、ＡＢＳコンフィギュレーションとは、ＭｅＮＢに割り当てられるＡＢＳパターン、すなわち、各サブフレームの送信又は無送信の組み合わせ示す番号である。
【００１８】
図５に実施の形態１におけるＯＭＣのＡＢＳ管理テーブルを示す。ここで、ＨｅＮＢカウント値とは、当該ＭｅＮＢのエリア内で稼動中のＨｅＮＢの台数をカウントした値であり、図４の例では、ＭｅＮＢ１（セルＩＤ＝２１６９）のセル内で稼動中のＨｅＮＢはＨｅＮＢ１のみであるため、ＨｅＮＢカウント値は１となっている。同様に、ＯＭＣは図示しないＭｅＮＢ（ＭｅＮＢ２（セルＩＤ＝８１３）、ＭｅＮＢ３（セルＩＤ＝３０６８０））のエリア内のＨｅＮＢ数及びＡＢＳコンフィギュレーションも管理する。
【００１９】
図６にＡＢＳコンフィギュレーションテーブルを示す。このテーブルは図５に示したＨｅＮＢカウント値、ＡＢＳコンフィギュレーション及びＡＢＳパターンＣＡＢＳ（ｍ）（ｍ＝０，１，...，３９）の関連付けを示している。ここで、ｍはサブフレーム毎に増加するカウント値である。ＡＢＳパターンＣＡＢＳ（ｍ）は４０サブフレーム分の下り送信又は無送信を定義しており、０が送信、１が無送信をそれぞれ示している。
【００２０】
例えば、図６において、ＡＢＳコンフィギュレーション＝０は全てのサブフレームを送信することを意味しており、ＡＢＳコンフィギュレーション＝１は８サブフレーム毎に下り送信を止めることを意味している。また、ＡＢＳコンフィギュレーションテーブルは、ＨｅＮＢ数が少ないほど、下り送信を止める頻度を低くし、ＨｅＮＢ数が多いほど、下り送信を止める頻度を高くするよう定義されている。
【００２１】
図７は、本発明の実施の形態１に係るＨｅＮＢ１００の構成を示すブロック図である。以下、図７を用いてＨｅＮＢ１００の構成について説明する。
【００２２】
無線部１０２は、ＨｅＮＢ１００の電源が投入されると、周辺ＭｅＮＢからの下り無線信号をアンテナ１０１を介して受信し、受信した下り無線信号に所定の無線処理を施してＲＳＲＱ測定部１０４に出力する。
【００２３】
制御部１０３は、ＨｅＮＢ１００の電源が投入された場合、参照信号の受信品質（ＲＳＲＱ：Reference Signal Received Quality）の測定をＲＳＲＱ測定部１０４に指示し、ＲＳＲＱ測定部１０４は、制御部１０３からの指示に従って、無線部１０２から出力された下り無線信号から周辺ＭｅＮＢのセルＩＤをブラインド検出し、検出したＭｅＮＢ毎にそのＲＳＲＱを測定する。測定されたＲＳＲＱはＮＲ生成部１０５に出力される。
【００２４】
ＮＲ生成部１０５は、ＲＳＲＱ測定部１０４から出力されたＲＳＲＱのうち、最も高いＲＳＲＱが測定されたＭｅＮＢを検出し、検出したＭｅＮＢを示す情報（例えば、セルＩＤ）をＮＲ（Neighbor Relation）情報として生成してＮＲ送信部１０６に出力する。
【００２５】
ＮＲ送信部１０６は、ＮＲ生成部１０５から出力されたＮＲ情報をＯＭＣに送信する。
【００２６】
図８は、本発明の実施の形態１に係るＯＭＣ２００の構成を示すブロック図である。以下、図８を用いてＯＭＣ２００の構成について説明する。
【００２７】
ＮＲ受信部２０１は、ＨｅＮＢ１００から送信されたＮＲ情報を受信し、受信したＮＲ情報をＨｅＮＢ数管理部２０２に出力する。ＨｅＮＢ数管理部２０２は、ＮＲ受信部２０１から出力されたＮＲ情報に示されるＭｅＮＢのセル内にＮＲ情報を送信したＨｅＮＢ１００が敷設されているものとみなし、図５に示したＡＢＳ管理テーブルにおけるＨｅＮＢカウント値を更新し、更新したＨｅＮＢカウント値をＡＢＳコンフィギュレーション決定部２０３に出力する。
【００２８】
ＡＢＳコンフィギュレーション決定部２０３は、図６に示すＡＢＳコンフィギュレーションテーブルを備えており、ＨｅＮＢ数管理部２０２から出力されたＨｅＮＢカウント値に応じたＡＢＳコンフィギュレーションをＡＢＳコンフィギュレーションテーブルから取得して、ＭｅＮＢのＡＢＳコンフィギュレーションを決定する。決定されたＡＢＳコンフィギュレーションは、ＡＢＳコンフィギュレーション送信部２０４に出力される。
【００２９】
ＡＢＳコンフィギュレーション送信部２０４は、ＡＢＳコンフィギュレーション決定部２０３から出力されたＡＢＳコンフィギュレーションをＭｅＮＢに送信する。
【００３０】
図９は、本発明の実施の形態１に係るＭｅＮＢ３００の構成を示すブロック図である。以下、図９を用いてＭｅＮＢ３００の構成について説明する。
【００３１】
ＡＢＳコンフィギュレーション受信部３０１は、図６に示すＡＢＳコンフィギュレーションテーブルを備え、ＯＭＣ２００から送信されたＡＢＳコンフィギュレーションを受信し、受信したＡＢＳコンフィギュレーションに基づいて、ＡＢＳパターンＣＡＢＳ（ｍ）を更新する。更新されたＡＢＳパターンはスケジューリング部３０２に出力され、また、ＡＢＳコンフィギュレーションは報知情報生成部３０４に出力される。
【００３２】
スケジューリング部３０２は、ＡＢＳコンフィギュレーション受信部３０１から出力されたＡＢＳパターンＣＡＢＳ（ｍ）に基づいて、各サブフレームでデータ信号又は制御信号を送信可能か判定する。送信可能（ＣＡＢＳ（ｍ）＝０）な場合、送信データのデータペイロード、変調方式及びリソース配置を決定し、決定したこれらの情報をデータ信号生成部３０５に出力する。また、スケジューリング部３０２は、送信制御信号の制御情報ペイロード及びリソース配置を決定し、決定したこれらの情報を制御信号生成部３０６に出力する。なお、送信不可（ＣＡＢＳ（ｍ）＝１）の場合、スケジューリング部３０２は何も出力しない。
【００３３】
参照信号生成部３０３は、下り参照信号（ＲＳ：Reference Signal）、第１同期信号（ＰＳＳ：Primary Synchronization Signal）及び第２同期信号（ＳＳＳ：Secondary Synchronization Channel）を生成し、リソース配置部３０７に出力する。
【００３４】
報知情報生成部３０４は、ＡＢＳコンフィギュレーション受信部３０１から出力されたＡＢＳコンフィギュレーションと、図示しない制御部から指示される他の情報（チャネル帯域幅、システムフレーム番号等）とに基づいて、報知情報を生成し、生成した報知情報を一次変調して、リソース配置部３０７に出力する。
【００３５】
データ信号生成部３０５は、スケジューリング部３０２から出力された送信データのデータペイロード、変調方式及びリソース配置に基づいて、データ信号を生成し、生成したデータ信号をリソース配置部３０７に出力する。
【００３６】
制御信号生成部３０６は、スケジューリング部３０２から出力された送信制御信号の制御情報ペイロード及びリソース配置に基づいて、制御信号を生成し、生成した制御信号をリソース配置部３０７に出力する。
【００３７】
リソース配置部３０７は、参照信号生成部３０３から出力された下り参照信号、第１同期信号及び第２同期信号と、報知情報生成部３０４から出力された報知情報と、データ信号生成部３０５から出力されたデータ信号と、制御情報生成部３０６から出力された制御信号とを時間−周波数リソースに配置して、ＯＦＤＭ変調部３０８に出力する。
【００３８】
ＯＦＤＭ変調部３０８は、リソース配置部３０７から出力された信号に対して逆離散フーリエ変換を施し、冗長部であるＣＰ（Cyclic Prefix）を付加して無線部３０９に出力する。
【００３９】
無線部３０９は、ＯＦＤＭ変調部３０８から出力された信号を高周波信号に変換し、アンテナ３１０を介してＭＵＥに送信する。
【００４０】
次に、図７に示したＨｅＮＢ１００のＲＳＲＱ測定部１０４におけるＲＳＲＱ測定手順について図１０を用いて説明する。図１０において、まず、ブラインド検出の対象とするセルＩＤ範囲（ＰＣＩＤＭＩＮ〜ＰＣＩＤＭＡＸ）のうち、最も小さいセルＩＤ（ＰＣＩＤＭＩＮ）を測定対象のセルＩＤ（ＴＰＣＩＤ）に設定する。また、最大ＲＳＲＱのセルＩＤ（ＴＭＡＸ）をＰＣＩＤＭＩＮに、最大ＲＳＲＱバッファ（ＰＭＡＸ）をＨｅＮＢが測定し得る最小のＲＳＲＱ（ＰＭＩＮ）に、それぞれ設定する（ＳＴ４０１）。ここでは、例として、ＰＣＩＤＭＩＮ＝０、ＰＣＩＤＭＡＸ＝６５５３５、ＰＭＩＮ＝−１００［ｄＢｍ］とする。
【００４１】
次に、ＴＰＣＩＤがＰＣＩＤＭＡＸを超えていないかチェックし（ＳＴ４０２）、超えていない場合はＴＰＣＩＤに準じた同期信号のレプリカを生成する（ＳＴ４０３）。この同期信号には、第１同期信号（ＰＳＳ）及び第２同期信号（ＳＳＳ）の２種類がある。ＴＰＣＩＤがＰＣＩＤＭＡＸを超えている場合はＲＳＲＱ測定手順を終了する。
【００４２】
次に、生成したＰＳＳ及びＳＳＳを用いてセルサーチを行う（ＳＴ４０４）。具体的には、受信信号とＰＳＳ及び受信信号とＳＳＳの相関演算を行い、相関値がある閾値以上の場合、セルサーチ成功、すなわち、当該セルＩＤの基地局が周辺に存在しているものとみなし、ＳＴ４０５に進む。相関値が閾値未満の場合、当該セルＩＤの基地局は周辺に存在していないものとみなし、ＳＴ４０８へ進む。
【００４３】
セルサーチが成功した場合、当該基地局からの下り参照信号をモニタし、ＲＳＲＱ（ＰＲＳＲＱ）を測定する（ＳＴ４０５）。その後、ＰＲＳＲＱとＰＭＡＸとを比較し（ＳＴ４０６）、ＰＲＳＲＱの方が大きければ、ＰＭＡＸ及びＴＭＡＸをそれぞれ更新する（ＳＴ４０７）。ＰＲＳＲＱがＰＭＡＸを超えない場合、ＳＴ４０８へ進む。
【００４４】
最後に、測定対象のセルＩＤをインクリメントし（ＳＴ４０８）、ＳＴ４０２に戻る。以上の処理をＴＰＣＩＤがＰＣＩＤＭＡＸになるまで繰り返し行う。
【００４５】
次に、図８に示したＯＭＣ２００の処理手順について図１１を用いて説明する。図１１において、まず、ＮＲ受信部２０１がＨｅＮＢ１００から報告されたＮＲを受信する（ＳＴ５０１）。続いて、ＨｅＮＢ数管理部２０２は、ＨｅＮＢ１００がＮＲで示されるＭｅＮＢのエリア内に敷設されているものとみなし、図５に示されるＡＢＳ管理テーブルからＭｅＮＢのＨｅＮＢ数カウント値をインクリメントする（ＳＴ５０２）。図４の例では、ＨｅＮＢ２からＮＲとして２１６９が報告されるので、ＯＭＣ２００は図５に示すＡＢＳ管理テーブルのうち、ＭｅＮＢ１のＨｅＮＢカウント値をインクリメントし、２とする。
【００４６】
ＡＢＳコンフィギュレーション決定部２０３は、ＳＴ５０２のＨｅＮＢカウント値を基に、図５に示すＡＢＳコンフィギュレーションテーブルから、ＭｅＮＢ３００のＡＢＳコンフィギュレーションを更新する（ＳＴ５０３）。図４の例では、ＭｅＮＢ１のＨｅＮＢ数が２に変更されたことに伴い、ＡＢＳコンフィギュレーションは１に変更される。この結果、図５のＡＢＳ管理テーブルは図１２に示すように更新される。
【００４７】
ＡＢＳコンフィギュレーション送信部２０４は、ＳＴ５０３のＡＢＳコンフィギュレーションをＭｅＮＢ３００に送信する（ＳＴ５０４）。
【００４８】
次に、図９に示したＭｅＮＢ３００の処理手順について図１３を用いて説明する。図１３において、まず、ＡＢＳコンフィギュレーション受信部３０１がＯＭＣ２００からＡＢＳコンフィギュレーションの指示があるか否かを判定し（ＳＴ６０１）、指示があった場合、そのＡＢＳコンフィギュレーションを基にＡＢＳパターンＣＡＢＳ（ｍ）を更新する（ＳＴ６０２）。指示がなかった場合、ＳＴ６０３に進む。
【００４９】
スケジューリング部３０２は、ＡＢＳパターンＣＡＢＳ（ｍ）に基づき、各サブフレームでデータ信号及び制御信号を送信可能か否か判定する（ＳＴ６０３）。送信可能（ＣＡＢＳ（ｍ）＝０）と判定された場合は、データ信号のデータペイロード、変調方式及びリソース配置を決定する。同時に、送信制御信号の制御情報ペイロード及びリソース配置を決定する（ＳＴ６０４）。送信不可（ＣＡＢＳ（ｍ）＝１）と判定された場合は、ＳＴ６０５に進む。
【００５０】
あるサブフレーム（ｎｓｂｆ）が報知情報を送信するサブフレーム（ＮＢＣＨ）か否かが判断され（ＳＴ６０５）、報知情報を送信するサブフレーム（ＮＢＣＨ）と判断された場合、報知情報生成部３０４はＡＢＳコンフィギュレーションと図示しない制御部から指示される他の情報（チャネル帯域幅、システムフレーム番号等）から報知情報を生成する（ＳＴ６０６）。報知情報を送信するサブフレーム（ＮＢＣＨ）ではない判断された場合、ＳＴ６０７に進む。
【００５１】
参照信号生成部３０３は、下り参照信号（ＲＳ）、第１同期信号（ＰＳＳ）及び第２同期信号（ＳＳＳ）を生成する（ＳＴ６０７）。
【００５２】
リソース配置部３０７は、下り参照信号（ＲＳ）、第１同期信号（ＰＳＳ）、第２同期信号（ＳＳＳ）、報知情報、データ信号及び制御情報を時間−周波数リソースに配置する（ＳＴ６０８）。
【００５３】
ＯＦＤＭ変調部３０８は、リソース配置された信号に対して逆離散フーリエ変換を行って、ＣＰを付加する。また、無線部３０９では、ＯＦＤＭ変調された信号を高周波信号に変換し、アンテナ３１０を介してＭＵＥに送信する（ＳＴ６０９）。
【００５４】
最後に、ｎｓｂｆ及びｍを更新する（ＳＴ６１０）。次サブフレームのサブフレーム番号及びＡＢＳパターンインデックスをそれぞれｎ’ｓｂｆ、ｍ’とすると、それぞれ次式の通りとなる。
【００５５】
ｎ’ｓｂｆ＝ｍｏｄ（ｎｓｂｆ＋１，２０）  …（１）
ｍ’＝ｍｏｄ（ｍ＋１，４０）  …（２）
【００５６】
このように、実施の形態１によれば、ＯＭＣは、ＨｅＮＢ数が少ないほど下り送信を止める頻度を低くし、ＨｅＮＢ数が多いほど下り送信を止める頻度を高くするよう定義されたＡＢＳコンフィギュレーションテーブルを備え、ＭｅＮＢエリア内のＨｅＮＢ数を管理し、このＨｅＮＢ数に応じてＭｅＮＢに適用するＡＢＳコンフィギュレーションをＡＢＳコンフィギュレーションテーブルから決定することにより、周辺の基地局に与える干渉を抑制すると共に、ネットワーク全体のスループットの低下を抑制することができる。
【００５７】
（実施の形態２）
実施の形態１では、ＭｅＮＢのエリア内のＨｅＮＢ数に応じてＡＢＳパターンを変更する場合について説明したが、ＭｅＮＢエリア内の全てのＨｅＮＢがＭｅＮＢからの干渉の影響を受けるわけではない。
【００５８】
例えば、図４においてＨｅＮＢ２がＭｅＮＢ１のセルエッジに敷設された場合を考える。この時、ＨＵＥ２１がＭｅＮＢ１から受ける干渉は距離減衰により小さなものとなる。その結果、ＨＵＥ２１の受信信号はＨｅＮＢ２からの下り希望信号が支配的となるため、ＭｅＮＢ１のＡＢＳを増やさなくても良好な通信品質が担保される。換言すると、このような条件下でＭｅＮＢ１がＡＢＳを増やすと、結果的に無線リソースの無駄が発生してしまう。
【００５９】
そこで、実施の形態２では、ＨｅＮＢの被干渉電力に応じてＡＢＳパターンを決定する場合について説明する。
【００６０】
本発明の実施の形態２に係るシステム構成は、実施の形態１の図４に示した構成と同一であるので、その詳細な説明は省略し、必要に応じて図４を援用する。ここでも、初期状態は実施の形態１と同様、ＨｅＮＢ１は稼働中、ＨｅＮＢ２は休止中（電源ＯＦＦ状態）であるものとする。また、ＯＭＣのＡＢＳ管理テーブル及びＡＢＳコンフィギュレーションテーブルもそれぞれ実施の形態１の図５及び図６と同一とする。
【００６１】
図１４は、本発明の実施の形態２に係るＨｅＮＢ１２０の構成を示すブロック図である。図１４が図７と異なる点は、ＮＲ送信部１０６をＮＲ及びＲＳＲＱ送信部１２１に変更した点である。
【００６２】
ＮＲ及びＲＳＲＱ送信部１２１は、ＲＳＲＱ測定部１０４から測定されたＲＳＲＱを取得し、また、ＮＲ生成部１０５からＮＲ情報を取得し、取得したＲＳＲＱ及びＮＲ情報をＯＭＣに送信する。図４の例では、ＨｅＮＢ２が最も干渉の影響を受ける基地局はＭｅＮＢ１であるとする。また、そのＲＳＲＱは３［ｄＢｍ］であるとする。ＨｅＮＢ２は、ＮＲとしてＭｅＮＢ１のセルＩＤ情報２１６９及びＲＳＲＱ＝３をＯＭＣに送信する。
【００６３】
図１５は、本発明の実施の形態２に係るＯＭＣ２２０の構成を示すブロック図である。図１５が図８と異なる点は、ＮＲ受信部２０１をＮＲ及びＲＳＲＱ受信部２２１に変更し、ＲＳＲＱ判定部２２２を追加し、ＨｅＮＢ数管理部２０２をＨｅＮＢ数管理部２２３に変更した点である。
【００６４】
ＮＲ及びＲＳＲＱ受信部２２１は、ＨｅＮＢ１２０から送信されたＮＲ及びＲＳＲＱを受信し、受信したＮＲ及びＲＳＲＱをＲＳＲＱ判定部２２２に出力する。
【００６５】
ＲＳＲＱ判定部２２２は、ＮＲ及びＲＳＲＱ受信部２２１から出力されたＲＳＲＱと閾値（ＴＲＳＲＱ）とを比較し、比較結果をＨｅＮＢ数管理部２２３に出力する。
【００６６】
ＨｅＮＢ数管理部２２３は、ＲＳＲＱ判定部２２２から出力された比較結果が閾値より大きいＲＳＲＱを示す場合、ＨｅＮＢはＮＲで示される基地局のエリア内に敷設されているものとみなし、図５に示されるＡＢＳ管理テーブルから当該基地局のＨｅＮＢ数カウント値を更新する。比較結果が閾値以下のＲＳＲＱの場合、ＨｅＮＢエリア内のＨＵＥはＭｅＮＢから受ける干渉の影響が小さいものとみなす。
【００６７】
ここでは、例えば、閾値ＴＲＳＲＱ＝１であった場合、ＨｅＮＢ２のＲＳＲＱ（＝３）の方が閾値より大きいため、ＯＭＣは図５に示すＡＢＳ管理テーブルのうち、ＭｅＮＢ１（セルＩＤ＝２１６９）のＨｅＮＢカウント値をインクリメントし、２とする。
【００６８】
なお、実施の形態２に係るＭｅＮＢの構成は、実施の形態１の図９に示した構成と同一であるので、その詳細な説明は省略する。
【００６９】
このように、実施の形態２によれば、ＭｅＮＢエリア内のＨｅＮＢのうち、ＲＳＲＱが閾値を超えるＨｅＮＢ数をカウントして、ＡＢＳコンフィギュレーションを決定することにより、ネットワーク全体のスループットの低下をさらに抑制することができる。
【００７０】
（実施の形態３）
実施の形態１及び実施の形態２では、ＭｅＮＢのみがＡＢＳを設定することを前提として説明したが、実施の形態３では、ＨｅＮＢカウント値に応じてＭｅＮＢ及びＨｅＮＢのどちらか一方、または双方にＡＢＳを設定する場合について説明する。
【００７１】
本発明の実施の形態３に係るシステム構成は、実施の形態１の図４に示した構成と同一であるので、その詳細な説明は省略し、必要に応じて図４を援用する。ここでも、初期状態は実施の形態１と同様、ＨｅＮＢ１は稼働中、ＨｅＮＢ２は休止中（電源ＯＦＦ状態）であるものとする。また、ＯＭＣのＡＢＳ管理テーブル及びＡＢＳコンフィギュレーションテーブルもそれぞれ実施の形態１の図５及び図６と同一とする。
【００７２】
また、実施の形態３に係るＨｅＮＢ、ＯＭＣ及びＭｅＮＢの構成は、実施の形態１の図７、図８及び図９に示した構成と同一であるので、その詳細な説明は省略する。ただし、実施の形態３に係るＯＭＣは、ＡＢＳコンフィギュレーション決定部２０３の機能が異なるので、異なる機能について図１６を用いて説明する。ただし、図１６が図１１と共通する部分には、図１１と同一の符号を付し、重複する説明は省略する。
【００７３】
ＡＢＳコンフィギュレーション決定部２０３は、ＨｅＮＢ数管理部２０２から出力されたカウント値に基づいて、ＭｅＮＢのＡＢＳコンフィギュレーション及び当該ＭｅＮＢエリア内の全ＨｅＮＢのＡＢＳコンフィギュレーションを更新する。
【００７４】
具体的には、まず、ＡＢＳコンフィギュレーション決定部２０３は、図６のＡＢＳコンフィギュレーションテーブルを参照し、ＭｅＮＢ１のＨｅＮＢカウント値に対応したＡＢＳコンフィギュレーションを決定する（ＳＴ５３１）。次に、ＭｅＮＢ１エリア内の全ＨｅＮＢのＡＢＳコンフィギュレーションについて、ＭｅＮＢ１のＡＢＳコンフィギュレーション以外のパターンからランダムに選択する（ＳＴ５３２）。
【００７５】
図４の例では、ＭｅＮＢ１のＨｅＮＢカウント値が２となるため、ＭｅＮＢ１のＡＢＳコンフィギュレーションとして１が選択される。次に、ＨｅＮＢ１及びＨｅＮＢ２のＡＢＳコンフィギュレーションは０〜７のうち、１を除く値がランダムに選択される。
【００７６】
このように、実施の形態３によれば、ＭｅＮＢに適用するＡＢＳコンフィギュレーションと異なるＡＢＳコンフィギュレーションをＨｅＮＢに適用することにより、ＨＵＥのみならず、ＨｅＮＢ近傍に位置するＭＵＥがＨｅＮＢから受ける干渉を低減することができるため、ネットワーク全体のスループットを改善することができる。
【００７７】
なお、本実施の形態において、実施の形態２で示したように、各ＨｅＮＢからＯＭＣにＲＳＲＱの報告があった場合、各ＨｅＮＢのＡＢＳコンフィギュレーションはランダムではなく、ＲＳＲＱに応じて選択してもよい。また、ＯＭＣが各ＨｅＮＢの設置位置を把握している場合、近接するＨｅＮＢ間でＡＢＳコンフィギュレーションが重複しないように設定してもよい。いずれの選択方法においても、各ＨｅＮＢに適用するＡＢＳコンフィギュレーションは、ＭｅＮＢのＡＢＳコンフィギュレーションと異なるように選択することが肝要である。
【００７８】
なお、上記各実施の形態では、ＨｅＮＢが電源投入時に周辺基地局情報を取得するものとして説明したが、この周辺基地局情報の取得は、例えば１日１回など、定期的に行ってもよい。
【００７９】
また、ＯＭＣがＡＢＳコンフィギュレーションをＭｅＮＢに指示するものとして説明したが、計４０ビットで構成されるＡＢＳパターンを直接指示してもよい。同様に、ＭｅＮＢ及びＨｅＮＢは報知情報にＡＢＳコンフィギュレーションを重畳するものとして説明したが、計４０ビットで構成されるＡＢＳパターンを重畳してもよい。
【００８０】
２０１１年２月１０日出願の特願２０１１−０２７４４１の日本出願に含まれる明細書、図面及び要約書の開示内容は、すべて本願に援用される。
【産業上の利用可能性】
【００８１】
本発明にかかるサーバ装置、小型基地局装置及び干渉制御方法は、移動通信システム等に適用できる。
【符号の説明】
【００８２】
１０１、３１０  アンテナ
１０２、３０９  無線部
１０３  制御部
１０４  ＲＳＲＱ測定部
１０５  ＮＲ生成部
１０６  ＮＲ送信部
２０１  ＮＲ受信部
２０２、２２３  ＨｅＮＢ数管理部
２０３  ＡＢＳコンフィギュレーション決定部
２０４  ＡＢＳコンフィギュレーション送信部
３０１  ＡＢＳコンフィギュレーション受信部
３０２  スケジューリング部
３０３  参照信号生成部
３０４  報知情報生成部
３０５  データ信号生成部
３０６  制御信号生成部
３０７  リソース配置部
３０８  ＯＦＤＭ変調部
１２１  ＮＲ及びＲＳＲＱ送信部
２２１  ＮＲ及びＲＳＲＱ受信部
２２２  ＲＳＲＱ判定部
【図１】
2012108153.tif 000003
【図２】
2012108153.tif 000004
【図３Ａ】
2012108153.tif 000005
【図３Ｂ】
2012108153.tif 000006
【図４】
2012108153.tif 000007
【図５】
2012108153.tif 000008
【図６】
2012108153.tif 000009
【図７】
2012108153.tif 000010
【図８】
2012108153.tif 000011
【図９】
2012108153.tif 000012
【図１０】
2012108153.tif 000013
【図１１】
2012108153.tif 000014
【図１２】
2012108153.tif 000015
【図１３】
2012108153.tif 000016
【図１４】
2012108153.tif 000017
【図１５】
2012108153.tif 000018
【図１６】
2012108153.tif 000019
【国際調査報告】
2012108153.tif 000020
2012108153.tif 000021
2012108153.tif 000022
2012108153.tif 000023
2012108153.tif 000024
2012108153.tif 000025
2012108153.tif 000026
2012108153.tif 000027